【手続補正書】
【提出日】平成16年1月23日(2004.1.23)
【手続補正１】
【補正対象書類名】明細書
【補正対象項目名】全文
【補正方法】変更
【補正の内容】
【発明の名称】コンパクトディスク装着装置
【特許請求の範囲】
【請求項１】ターンテーブルを備え前面に開口部を有する本体と、前記本体の前面に揺動可能に支持され、前記開口部に対して開閉自在な蓋体とを有するコンパクトディスク装着装置において、
前記蓋体は、
コンパクトディスクの一方の端部を受け前記蓋体の内面に沿って可動する保持手段と、
前記蓋体の閉止動作に伴って前記保持手段を可動させるとともに、前記保持手段で保持されるコンパクトディスクの他方の端部の位置に応じ、前記コンパクトディスクによって前記保持手段の可動範囲が規制される可動部材と
を少なくとも有することを特徴とするコンパクトディスク装置装置。
【請求項２】前記蓋体の内面上端付近に突出形成され、前記保持手段で保持された大径のコンパクトディスクの他方の端部が係合する係止片と、
前記可動部材と連結され、前記係止片へのコンパクトディスクの係合の有無に応じて、大径のコンパクトディスクを前記ターンテーブルに装着し得る第１の位置に前記可動部材を保持するか、小径のコンパクトディスクを前記ターンテーブルに装着し得る第２の位置に前記可動部材を移動させるレバー機構と
を備えたことを特徴とする請求項１に記載のコンパクトディスク装着装置。
【請求項３】前記蓋体の開閉動作を前記レバー機構に伝達する第１レバーを備え、
前記第１レバーは一端が前記本体の一側部に枢着され、他端に前記蓋体の一側部に沿って形成されたガイドスロットを貫通し、該スロットに沿って摺動するガイドピンを有し、
前記ガイドピンが前記レバー機構に連結される
ことを特徴とする請求項２に記載のコンパクトディスク装着装置。
【請求項４】前記蓋体の内面に設けられ、前記本体に対する前記蓋体の揺動方向と同方向に微小角度だけ揺動可能に支持された板状のホルダーを備えた
ことを特徴とする請求項１に記載のコンパクトディスク装着装置。
【請求項５】前記ターンテーブルとの間にコンパクトディスクを挟着し該ターンテーブルと共に回転するチャッキング部材を前記蓋体に備え、
前記ターンテーブルは中心に截頭円錐形のスピンドルを有し、前記チャッキング部材は中心に前記截頭円錐形のスピンドルが嵌入する逆截頭円錐形の凹部を有する
ことを特徴とする請求項１に記載のコンパクトディスク装着装置。
【請求項６】前記チャッキング部材はマグネットを内蔵した
ことを特徴とする請求項５に記載のコンパクトディスク装着装置。
【請求項７】前記レバー機構は、
前記蓋側の１点を軸に互いに屈曲可能に枢着された２本のアームと、
両端が前記各アームに取り付けられこれ等のアームを連結する反転ばねとを有し、
前記係止片へのコンパクトディスクの係合の有無に応じて、前記２本のアームが直線状態を維持して前記可動部材を前記第２の位置へ移動させるか、前記２本のアームが屈曲状態となり前記可動部材を前記第１の位置から後退させて前記保持手段を前記コンパクトディスクから離間させる
ことを特徴とする請求項２に記載のコンパクトディスク装着装置。
【請求項８】前記反転ばねは一端を前記第１レバーの突起に連結された一方の前記アームの中心線上の１点に取り付け他端を他方の前記アームの前記一方のアームとの枢着点より他方のアーム側に延びた端部の下縁付近に取り付けた捩りばねである
ことを特徴とする請求項７に記載のコンパクトディスク装着装置。
【発明の詳細な説明】
【０００１】
【発明の属する技術分野】
本発明は、コンパクトディスク記録再生装置におけるコンパクトディスク装着装置に関する。
【０００２】
【従来の技術】
従来のラジオ付きカセットテープレコーダでディスク再生装置を備えたものでは、キャビネットの頂面（上面）にディスク装填部が水平に配設されている。この種のラジオ付きカセットテープレコーダでは、コンパクトディスクの装填は、ディスク再生装置のターンテーブル（回転テーブル）に対し、オペレーター自身の手操作によってディスクを芯出し設定することによって行われている。したがって、コンパクトディスクの直径が８ｃｍであっても１２ｃｍであっても不都合なくディスク装填を行うことができる。
【０００３】
しかしながら、ラジオ付きカセットテープレコーダを含む記録再生装置の正面（すなわち、垂直面）にディスク装填部を配設しようとすると、汎用されている大小２種類のディスク（すなわち、直径８ｃｍのディスクおよび直径１２ｃｍのディスク）を、いずれも芯出し状態で正しくターンテーブルに装填する機構に工夫を要することになる。
【０００４】
このような装置の場合、いずれの種類のディスクであっても、ディスク装填部の蓋部分にディスクを置き、そのまま蓋を閉じるだけで、ターンテーブルに対して正しくディスクが設定される機構が望まれる。
【０００５】
この希望を満たすものとして、特開昭５９−２０１２６６号公報が提案された。この従来の装置では挿入されたディスクが大径のものであるか小径のものであるかをディスクサイズ検出器で検出し、ディスクサイズに応じてディスク支持部材の位置を電気的に制御するように構成されている。
【０００６】
【発明が解決しようとする課題】
この検出器では大径のディスクを装着する場合でも異物が挿入されると小径のディスクを装着するものと誤検出されディスク支持部材を小径のディスク支持位置に設定するため大径のディスクを挿入することができない。従ってこのような場合には一旦ディスクホルダーを閉めてから再びこれを開ける動作が必要となる。
【０００７】
また特に小径のディスクを装着する際に、何等かの理由でディスク支持部材が正しい位置に移動できないままでディスクホルダー１２を閉じてしまうと小径ディスクの記録面がチャッキングされてしまいディスクに傷をつけたり破損してしまう恐れがある。
【０００８】
そこで本発明の解決しようとする課題は、ディスクサイズ検出器により装着すべきディスクの種類を検出してディスク保持位置を電気的に制御することなく、大径および小径のディスクのサイズに応じて作動し蓋を閉じる動作に応動してディスクを自動的に正しい位置に装着できるように機械的メカニズムのみにより構成された誤作動のないコンパクトディスク装着装置を提供することである。
【０００９】
【課題を解決するための手段】
上記課題は、本発明によれば、ターンテーブルを備え前面に開口部を有する本体と、前記本体の前面に揺動可能に支持され、前記開口部に対して開閉自在な蓋体とを有するコンパクトディスク装着装置において、前記蓋体は、コンパクトディスクの一方の端部を受け前記蓋体の内面に沿って可動する保持手段と、前記蓋体の閉止動作に伴って前記保持手段を可動させるとともに、前記保持手段で保持されるコンパクトディスクの他方の端部の位置に応じ、前記コンパクトディスクによって前記保持手段の可動範囲が規制される可動部材とを少なくとも有することを特徴とするコンパクトディスク装着装置によって達成される。
【００１０】
また、本発明は、前記蓋体の内面上端付近に突出形成され、前記保持手段で保持された大径のコンパクトディスクの他方の端部が係合する係止片と、前記可動部材と連結され、前記係止片へのコンパクトディスクの係合の有無に応じて、大径のコンパクトディスクを前記ターンテーブルに装着し得る第１の位置に前記可動部材を保持するか、小径のコンパクトディスクを前記ターンテーブルに装着し得る第２の位置に前記可動部材を移動させるレバー機構とを備える。
【００１１】
本発明では、コンパクトディスクの一方の端部を保持手段で保持し、蓋体を閉めると、コンパクトディスクの径により異なる該ディスクの他方の端部の位置に応じて保持手段の可動範囲が切り換えられる。
すなわち、保持手段で保持したコンパクトディスクが大径のディスクであれば、蓋体の閉止動作に伴う保持手段の移動がこのディスクによって規制され、蓋体の閉止動作でコンパクトディスクはターンテーブルへ装着される。
これに対して、保持手段で保持したコンパクトディスクが小径のディスクであれば、蓋体の閉止動作に伴う保持手段の移動は規制されず、蓋体の閉止動作で保持手段が移動してコンパクトディスクをターンテーブルへの装着位置へ移動させる。
以下本発明の実施例を添付図面を参照して説明する。
【００１２】
【実施例】
図１は本発明のコンパクトディスク装着装置の外観を示す平面図で内部構造の主要部を破線で示す。図２は図１のＩＩ−ＩＩ線に沿って切断し矢視方向にみた側面図で蓋を開いた状態を示す。図３は図１のＩＩＩ−ＩＩＩ線に沿って切断し矢視方向にみた側面図で蓋を閉じている状態を示す。
【００１３】
これ等の図面において本体１はほぼ正方形に形成され、中間部において仕切壁２で前後に仕切られており、開放された前面は蓋３で閉じられるようになっている。蓋３の下端付近の両縁には扇形片４，４′が一体に固定され扇形片の要（かなめ）位置に形成された枢軸５，５′が本体１の側壁に軸受けされ、蓋３は枢軸５，５′を中心として揺動し本体１の前面開口部を開閉する。
【００１４】
扇形片４，４′の一方の扇形片４の円弧形の外周にラック６が形成され、仕切壁２に回動可能に取り付けたピニオン７と噛み合う。仕切壁２から後方に突出するブラケットと扇形片４の一側面の一点との間に引張りばね８が張架され蓋３は常時開方向に付勢されている。ピニオン７は図示しない手段により軽い摩擦抵抗を受けながら回動するように構成されており、蓋を開くときピニオンがラックと噛み合いながら回動し引張りばね８による蓋の開放動作に軽い抵抗を与え急激な開放動作による損傷を防ぐ。
【００１５】
９，１０は夫々蓋３と本体１に取り付けられたフックであり、これらのフックは、蓋３を本体１に対して閉じたときに互いに係合し、それによって蓋３の閉成状態が維持される。
【００１６】
本体１の中心部には、仕切壁２の後方に配置されたモータ１１で駆動され仕切壁２の前面側で回転するターンテーブル１２が回動自在に取り付けられており、円形鋼板を一体に有するターンテーブル１２の中心には截頭円錐形のスピンドル１３が突設されている。
【００１７】
蓋３の内側には平板状のホルダー（ディスク誘導保持板）１４が配備される。ホルダー１４の下方部分の両側縁に沿ってエッジプレート１５，１５′が一体に形成され、扇形片４，４′の側面から突出する枢軸１６，１６′がエッジプレート１５，１５′の下端付近に形成された支持孔に挿入され、ホルダー１４は枢軸１６，１６′を支点として蓋３に対して相対的に揺動する。
【００１８】
扇形片４，４′の蓋３への接合部は蓋３の上方へ向って小距離延びた延長部があり、その上端付近に棒状突起１７が形成され、この突起１７がホルダー１４のエッジプレート１５上端付近に形成された横向きの長円形孔１８に嵌挿され、蓋３に対するホルダー１４の相対的揺動傾斜角が所定の小角度範囲内に規定される。
【００１９】
図２と共に更に図４乃至図７に示すように蓋３の内面上端付近の両側（蓋３を正面側から見て左右両側）に２つの係止片１９，１９が突設され、これ等の係止片１９，１９は、蓋３の閉止動作が開始され蓋３がホルダー１４に対して平行状態で接触するようになるときホルダー１４に形成された窓２０，２０を通して突出し、後述するように大径（１２ｃｍ）のコンパクトディスクの上縁部を支える。
【００２０】
蓋３の中心部には円形の凹所が設けられその凹所内には一端に内向きフランジ２１ａを有するリング２１が固定され、リング２１内にはマグネットを内蔵するチャッキング部材２２が浮動状態に挿入される。
【００２１】
チャッキング部材２２のターンテーブル１２に対向する面にはスピンドル１３が挿入される相補形状の逆截頭円錐形の凹所２３が形成されると共に底面にはフランジ２４を有しリング２１からの抜け出しが防止される。またホルダー１４の中心には蓋３がホルダー１４と接触したときリング２１が突き抜けることのできる開口２５が設けられている。
【００２２】
図２に示すようにラック付き扇形片４の存在する側の本体側壁内面近くで仕切壁２から前方に向って突出するブラケット２６が形成され、又ホルダー１４のラック付扇形片４側のエッジプレート１５には長手方向に延びるガイドスロット２７が形成され、一端をブラケット２６に枢支２８したレバー２９の他端に取り付けたガイドピン３０がガイドスロット２７に挿通される。
【００２３】
蓋３が全開したときガイドピン３０がガイドスロット２７の上端に係合し、蓋３が閉じるとき、ガイドピン３０はガイドスロット２７に沿って下降し、蓋３が全閉したときガイドスロット２７の下端に達する。
【００２４】
又扇形片４，４′には枢軸５を中心とする円弧形のスロット３１が形成され、該スロット３１には本体１の側壁から内側に向って突出するピン３２が摺動変位自在に係合し、蓋３の開閉動作が円滑に行われるようにすると同時に開閉位置を規制する。
【００２５】
図４乃至図７に示す如く蓋３とホルダー１４の間にレバー機構３３を設ける。レバー機構３３はホルダー１４に突設された枢軸３４によって、それぞれの一端部を回動自在に支持された２本のアーム３５，３６を有し、一方のアーム３５の他端部には図２について説明したレバー２９のガイドピン３０の先端部が係合する凹所３７が形成され、アーム３６の他端部には長円形のスロット３８が形成され、又このスロット３８に近接して突起３９が形成される。
【００２６】
ホルダー１４の内面（ターンテーブル１２側に向いた面）中央には下縁から中心開口２５にかけて概略平坦な凹み４０が形成されその中に可動部材４１が嵌め込まれる。凹み４０の両側縁を形成する壁には上下方向に延びる案内溝４０′，４０′が形成され、可動部材４１はその両エッジを夫々案内溝４０，４０′に挿入させて凹み４０の中を上下方向に摺動する。
【００２７】
更に可動部材４１は装着すべきディスクの保持手段となる底壁（保持面とも呼ぶ）４２を形成され、また特に図８に明瞭に示すようにその両側に前方に突き出した保持梁４３を備える。凹み４０の部分の中央には上下に延びるスロット４４が形成され、可動部材４１の裏面中央に取り付けたピン４５がスロット４４を貫通し前述したアーム３６のスロット３８に嵌入される。
【００２８】
又凹み４０の部分には円弧状のスロット４６が形成され、前述したアーム３６に形成された突起３９が嵌入され、枢軸３４を中心とするアーム３６の回動を案内する。
【００２９】
レバー機構３３を構成する両アーム３５，３６に跨がって２股形状の捩りばね４７が張架されている。この捩りばね４７は、枢軸３４を屈曲中心としてアーム３５，３６が押し曲げられる力を受けると初期形状に復帰しようとして反発し、アーム３５，３６に付勢力を加える。
【００３０】
本発明の一実施形態に係わるコンパクトディスク装填装置は前記のように構成されており、その使用態様は以下のとおりである。先ず、直径８ｃｍの小径ディスクを装填する場合について説明する。
【００３１】
本体１が図２に示すように垂直姿勢になされ、蓋３が閉成された状態で、蓋側のフック９が本体１側のフック１０に係合している。フック１０は、それ自体に弾発性をもたせておけば、その弾性を利用してフック９との係合位置から後退変形させることによってフック９との係合関係を解消することができる。
【００３２】
また、フック１０の配設に関する変形例として、該フック１０を本体１に対して傾動自在に取着し、付勢ばねの付勢力を利用してフック１０を常に直立姿勢に維持してフック９と係合するように構成しておけば、操作ボタン等を利用して、ばね付勢力に逆らってフック１０を傾斜させることにより、両フック９，１０の係合を外すことができる。
【００３３】
かくして、両フック９，１０の係合を外すと、引張りばね８の付勢力によって蓋３が枢軸５，５′を支点として外側に揺動回転（傾動）して図２に示す状態になる。
【００３４】
この時、レバー２９の下端に付設されたガイドピン３０がホルダー１４のガイドスロット２７の上端に位置している。また、ホルダー１４は、枢軸１６，１６′を支点として蓋３に対して相対的に小角度回転傾斜し、上端側が蓋３から僅かに離れている。蓋３とホルダー１４のこのような姿勢は、蓋側の棒状突起１７とホルダー側の長円形孔１８との係合関係により、開放状態にある蓋３がホルダー１４を介してレバー２９に支えられているために得られる。
【００３５】
この状態で、ホルダー１４の窓２０，２０を貫通する係止片１９，１９は、その先端が窓２０，２０内にあって、ホルダー１４の内面側に突出していない。したがって、矢印Ｘ方向からホルダー１４の内面に沿うように小径ディスクを装填する際に係止片１９，１９が邪魔になることはない。
【００３６】
このときガイドピン３０は最上位置にあるので図４に示す如くこれと係合するレバー機構３３のアーム３５の凹所３７は引き上げられており、アーム３５，３６は直線状態にあるので可動部材４１は最下位置よりも少し高い位置にあり、小径ディスクＡの下縁部は可動部材４１の保持面４２の上に載る。保持梁４３はディスクが本体１とホルダー１４との間の隙間から落下するのを防止する役割を果す。
【００３７】
ディスクＡが可動部材４１に載置された状態で蓋３の閉止動作を開始すると、レバー２９のガイドピン３０はガイドスロット２７に沿って下降を始めアーム３５の右端を押し下げて可動部材４１と共にディスクＡを押し上げる。
【００３８】
蓋３が完全に閉まる直前にディスクＡの中心がターンテーブル１２のスピンドル１５の中心と合致する若干手前の位置で可動部材４１は最上位置に達し、このときディスクＡの中心孔はスピンドル先端の円を含む位置にあるので、蓋が完全に閉まるときマグネットを含むチャッキング部材２２がターンテーブル１２に吸着されると同時にディスクＡの孔はスピンドル１５の斜面に沿って若干上昇しディスクＡは可動部材４１から離れて正しく心合せすることができる。従って可動部材４１はディスクの再生中ディスクの回転に干渉することはない。
【００３９】
次に図２に示す如く蓋３を開き直径１２ｃｍの大径のディスクＢを装着する場合について説明する。蓋３を開いた状態ではレバー２９の下端のガイドピン３０はホルダー１４のガイドスロット２７の最上位置を貫通し、図６に示す如くアーム３５の右端を引き上げている。
【００４０】
このときアーム３５，３６はほぼ直線状態にあり、可動部材４１は最下位置よりも少し高い位置にある。またホルダー１４は蓋３から微小角度だけ浮き上った状態にあって係止片１９はホルダー１４の内面から引込んでいる。
【００４１】
この状態で大径のディスクＢを蓋３の上方からホルダー１４の内面に沿って滑り込ませると、その下縁部が可動部材４１の保持面４２の上に載る。この状態において蓋３を僅かに閉じると、ホルダー１４は蓋３の内面に接合し、係止片１９，１９がホルダー１４の窓２０，２０を通してホルダー１４の内面より突出する。
【００４２】
この状態から更に蓋３を閉じる方向に押すと、ガイドピン３０がアーム３５の右端を押し下げ、可動部材４１を押し上げこれと共にディスクＢを押し上げようとするがディスクＢは微小量上昇しただけで上縁部が係止片１９に係合し係止片１９と可動部材４１の保持面４２の間に挟まれた状態となる。
【００４３】
大径ディスクＢの上縁部が係止片１９に係合したとき、ディスクＢの中心はターンテーブル１２の中心より僅かに上にあるがスピンドル１３の先端円がディスクＢの中心孔の範囲内に位置している。蓋３の閉止操作を更に進めると、ガイドピン３０はガイドスロット２７に沿って下降しアーム３５の右端を更に押し下げるが可動部材４１はディスクＢの下縁部に抑えられて上昇できないのでアーム３５とアーム３６は捩りばね４７の付勢力に抗して枢軸３４を中心として下方に屈曲する。
【００４４】
この屈曲が進行して、アーム３５，３６に取着された２股形状の捩りばね４７の両取着点を通る仮想直線が枢軸３４の中心軸線を通る状態になり（この状態を思案点にあると称する）、さらに仮想直線が枢軸３４の中心軸線よりも図面における上側を通る状態になると、捩りばね４７の付勢力により、仮想直線と枢軸３４の軸線中心との垂直距離を腕とする回転モーメントがアーム３６の端部（枢軸３４を越えてアーム３５側に伸長する端部）に突然作用し、アーム３６が、図面において反時針回り方向に瞬時に回転せしめられる。
【００４５】
この結果、アーム３６の長円形スロット３８と可動部材４１のピン４５との係合関係の下で、アーム３６により両縁を案内溝４０′，４０′に係合させた可動部材４１がスロット４４に沿って最下限位置まで急速に押し下げられる。
【００４６】
こうして蓋３が完全に閉じたとき、ディスクＢはチャッキング部材２２に押されて中心孔がスピンドル１３の傾斜面に沿って若干下降しスピンドル１３と正しく心合せされた状態でターンテーブル１２とチャッキング部材２２との間に挟着される。
【００４７】
このときディスクＢの上縁部は係止片１９から僅かに離れ下縁部はアーム３６がスロット４４内において最下位置をとるために可動部材４１の保持面４２から僅かに離れているので、係止片１９および可動部材４１がディスクＢの回転に干渉することはない。
【００４８】
なお、本実施例ではディスク挿入の障害にならないように、本体１に対するホルダー１４の揺動角が本体１に対する蓋３の揺動角よりも小さくなされており、蓋３を開けた状態では係止片１９，１９がホルダー１４から突出しないようになっているが、ホルダー１４を省いて蓋３自体をホルダーとして常に係止片が突出しているような構成とし、レバー機構や可動部材等を蓋３に直接装備するように構成することも可能である。
【００４９】
前記実施形態では、係止片１９，１９を蓋３に設けて、ホルダー１４の対応箇所に形成した開口である窓２０，２０を貫通させるように構成したが、蓋３の係止片１９，１９に代えて、同様な突出部である１対の係止片をホルダー１４の内側面の対応箇所に設けてもよい。
【００５０】
その場合には、ホルダー１４に対してコンパクトディスクを装填する際に係止片を避けるように注意を払う必要があるものの、その点を除けば、前記実施形態の装置と使用上の差異はない。
【００５１】
また、前記実施形態では、図２に示すように垂直姿勢になされた状態で本体１を使用する場合について説明したが、本体１を水平姿勢にして、ディスク再生装置の頂面に蓋３が位置する状態においても、ディスクの装填は可能である。
【００５２】
この場合、ディスクをホルダー１４に沿って差し入れ、１対の保持梁４３および可動部材４１に該ディスクを突き当てた状態で蓋３を閉じればよい。したがって、前記実施形態による装置は、垂直、水平いずれの姿勢でも使用可能である。
【００５３】
【発明の効果】
以上説明したように本発明のコンパクトディスク装着装置は機械的メカニズムのみにより構成され、大径、小径の２種類のコンパクトディスクを蓋の開閉動作のみにより正しくターンテーブルに装着できるので、故障が少なく誤作動のない信頼性の高い装置が得られる。
【図面の簡単な説明】
【図１】本発明によるコンパクトディスク装着装置の一実施の平面図で内部の概略構造を破線で示す。
【図２】図１のＩＩ−ＩＩ線に沿って切断し矢視方向にみた断面図で蓋を開いた状態を示す。
【図３】図１のＩＩＩ−ＩＩＩ線に沿って切断し矢視方向にみた断面図で蓋を閉じた状態を示す。
【図４】図１の実施例のホルダー付き蓋が開かれ、小径のコンパクトディスクが挿入された直後のホルダーの内面を示す正面図で、ホルダーを一部切欠きホルダーと蓋の間に挿入されるレバー機構を実線で示す。
【図５】図４の状態から蓋を閉じ小径のコンパクトディスクをターンテーブルに装着した状態を示すホルダー付き蓋の内面の正面図。
【図６】大径のコンパクトディスクを挿入した直後のホルダー内面の状態を示す図４と同様の正面図。
【図７】大径のコンパクトディスクをターンテーブルに装着したホルダー内面の状態を示す図５と同様の正面図。
【図８】図５のＶＩＩＩ−ＶＩＩＩ線に沿って切断し矢視方向にみたホルダーと蓋の組立体の下半部の拡大断面図。
【符号の説明】
１  本体
３  蓋
１２  ターンテーブル
１３  スピンドル
１４  ホルダー
２２  チャッキング部材
２４  凹所
２７  ガイドスロット
２９  第１レバー
３０  ガイドピン
３３  レバー機構
３４  枢軸
３５，３６  アーム
４１  可動部材
４２  底壁（保持面）
４７  反転ばね（捩りばね）
４９，５０  ばね支点


【手続補正２】
【補正対象書類名】図面
【補正対象項目名】図３
【補正方法】変更
【補正の内容】
【図３】
1998214447.tif 000001